(57)【要約】【課題】携帯用ボール容器の提供。【解決手段】これは構造が簡単で、携帯にも便利で操作もしやすい機能を備える携帯用ボール容器に関するものである。その中に、一つの本体があり、本体の中に一つのチャンバーを設けてあるので、その中にボール又はその類似品を入れることができる。又、本体に一つの開口部を設けることで、ボール又はその類似品がその開口部からチャンバーに出し入れすることができる。更に、一つの本体に取り付けられる往復で移動できる筒部分などの部分を備える。実際的にこの容器を使う場合、その筒部分の開口部が通常閉じる状態を呈するが、一つの操作力でその筒部分を押して、その筒部分が本体の開口部から離れることで、ボール又はその類似品が開口部から入って、又はチャンバーから離れることができる。【選択図】図２
0003122072.tif 000002
【実用新案登録請求の範囲】
【請求項１】
携帯用ボール容器に関するものであり、
その中に、一つの本体があり、本体の中に一つのチャンバーを設けてあるので、その中にボール又はその類似品を入れることができ、
又、本体に一つの開口部を設けることで、ボール又はその類似品がその開口部からチャンバーに出し入れすることができ、
及び、一つの本体に取り付けられる往復で移動できる筒部分などの部分を備え、実際的にこの容器を使う場合、その筒部分の開口部が通常閉じる状態を呈するが、一つの操作力でその筒部分を押して、その筒部分が本体の開口部から離れることにより、ボール又はその類似品が開口部から入って、又はチャンバーから離れることができることを特徴とする携帯用ボール容器。
【請求項２】
本体の両端は開放式を呈し、それぞれ一つの軸プレートを結合又は取り付けてあることで、その軸プレートの外径が本体の外径より大きいのであることを特徴とする請求項１記載の携帯用ボール容器。
【請求項３】
その本体の下部の一つの予定された位置に、一つのテーパーホールが形成されることで、その上に一つの定位部を取り付けることができるので、その筒部分が通常にその開口部をオフすることができることを特徴とする請求項１記載の携帯用ボール容器。
【請求項４】
その定位部に曲がって変形できる一つの弾性ユニット、及び一つの通常に弾性ユニットの力で外部へ押されるボールを含むことで、筒部分の移動を制限又は干渉することができることを特徴とする請求項３記載の携帯用ボール容器。
【請求項５】
その弾性ユニット及び本体のテーパーホールを利用して、そのボールの一部分を本体から突き出してから、その筒部分の内部端面の下部にある一つのスロットホールに入ることで、その筒部分が通常にその本体の開口部をオフすることができることを特徴とする請求項４記載の携帯用ボール容器。
【請求項６】
その本体はパイプ状を選ぶことが良いのであることを特徴とする請求項１記載の携帯用ボール容器。
【請求項７】
その筒部分は主にパイプ状又は筒状のものを選ぶのである。その内径は本体の外径より大きいし、その両端は開放式を呈するので、筒部分が本体の上に往復で移動することができることを特徴とする請求項１記載の携帯用ボール容器。
【請求項８】
その本体に一つのフック及び一つの弾性ロープをピボットして接続することができるし、その弾性ロープの別の端を一つのビッグフックと結合するのであることを特徴とする請求項２記載の携帯用ボール容器。
【考案の詳細な説明】
【技術分野】
【０００１】
この考案は構造が簡単で、携帯にも便利で操作もしやすい機能を備える携帯用ボール容器に関するものである。特に、ボール類スポーツに応用して、ボール又はその類似品をいつも携帯することができる考案の携帯用ボール容器を指すのである。
【背景技術】
【０００２】
たくさんのボール類スポーツ用具、又は、その関連する物品の設計が既に広くボール類スポーツに応用したので、ボール類のスポーツをする人たちに便利性を提供することができる。このようなボール類スポーツ用具又はその関連する物品の設計は従来に存在する技術であるし、この技術がその業界にとっては、既に成熟な技術である。即ち、上述のボール類スポーツ用具、又はその関連する物品の各部分の構造の改良又はその設計について、既に特許を取ったのがたくさんある。例えば、特許文献１の「改良式ゴルフクラブのバッグスタンド」、特許文献２の「ゴルフクラブグリップ」、特許文献３の「ゴルフクラブヘッド」、特許文献４の「ゴルフボール拾得器具」、特許文献５の「ゴルフボール包装用ケース」、特許文献６の「ゴルフクラブ本体」、特許文献７の「ゴルフグラフ固定用フレーム」、特許文献８の「ゴルフボール入れ」、特許文献９「ゴルフクラブのヘッドカバー」、又は特許文献１０「卓球拾得器具」、特許文献１１「卓球ネットの改良」、特許文献１２「卓球ラケット」、又は特許文献１３「卓球点数計算の補助装置」の考案ケース等を含む。
【０００３】
運動する過程に必要するため、いつも予備のボールを用意しなければならないことは、ボール類スポーツ(例えばゴルフ)をする人に対する重要な課題である。実は、運動をするために、ボールを携帯する場合、殆ど２個か３個のボールをポケットの中に入れるか、ボールを助手に携帯させる手段を使うので、とても不便になるのである。上述の状況を改善するため、従来の技術にも一つの携帯用ボール容器を提供することがある。例えば、特許文献１４の「ゴルフボール袋」の特許は、弾性ライニングがある容器を提供するものである。即ち、弾性ライニングの変形量によって生じる内部へ縮める弾性力を利用して、その容器に入れるゴルフボールを嵌める手段に関するものである。但し、この技術を利用する実施例にも従来の技術のようにまだ欠点を存在している。例えば、指をその容器に入れるために、及びその弾性ライニングに十分の変形量を持たせるため、その構造の体積も相対的に複雑で大きくなるので、その中からボールを取る場合、その容器を落として壊す状況がよく生じるため、この考案の技術はまだ理想的ではなく、まだ改善する空間があると思われる。
【０００４】
その代表性の面から見ると、このような参考資料に記載されるボール又はその他物品の設計技術に関しては、技術上的に既に微小的に改善したため、特許の許可を得られた。若し、そのゴルフボール袋の構造を改めて設計することで、従来の構造と異なる構造すれば、その使用形態を変更することができるので、従来の特許と区別することができるし、実際的に応用する場合、その応用範囲も増えることができる。例えば、その構造設計を一つの簡単化の条件、又は携帯にも便利で操作もしやすい機能を持たせるなどの手段を使うことは、すべて上述の許可された考案に表示又は掲示されていない条件である。
【０００５】
【特許文献１】台湾特許第８６２０７７０５号明細書
【特許文献２】台湾特許第８５２０１４２１号明細書
【特許文献３】台湾特許第８６２２１３９８号明細書
【特許文献４】台湾特許第８５２１４０７７号明細書
【特許文献５】台湾特許第８５２１５３９１号明細書
【特許文献６】台湾特許第８５２０２０１２号明細書
【特許文献７】台湾特許第８４２１１４７９号明細書
【特許文献８】台湾特許第８３２１２３０８号明細書
【特許文献９】台湾特許第７８２０４００６号明細書
【特許文献１０】台湾特許第８６２２１５６２号明細書
【特許文献１１】台湾特許第８８２０４１５７号明細書
【特許文献１２】台湾特許第７９２０２６５３号明細書
【特許文献１３】台湾特許第８５２０３５６３号明細書
【特許文献１４】台湾特許第８７２０５４６２号明細書
【考案の開示】
【考案が解決しようとする課題】
【０００６】
この考案の主要な目的は携帯用ボール容器を提供するものである。特に、構造が簡単で、携帯にも便利で操作もしやすい機能を備える携帯用ボール容器に関するものである。その中に、一つの本体があり、本体の中に一つのチャンバーを設けてあるので、その中にボール又はその類似品を入れることができる。又、本体に一つの開口部を設けることで、ボール又はその類似品がその開口部からチャンバーに出し入れすることができる。更に、一つの本体に取り付けられる往復で移動できる筒部分などの部分を備える。実際的にこの容器を使う場合、その筒部分の開口部が通常閉じる状態を呈するが、一つの操作力でその筒部分を押して、その筒部分が本体の開口部から離れることで、ボール又はその類似品が開口部から入って、又はチャンバーから離れることができる。
【０００７】
この考案の携帯用ボール容器による、その本体が開口部と相対する地域に一つの定位部を設けることで、その筒部分が常にその開口部をオフすることができる。又、その定位部に一つの弾性ユニット及び一つのボールを含むことで、筒部分の移動を制限又は干渉できるので、外力又は操作力でその制限又は干渉状態を解除しないと、その制限又は干渉を維持することができる。
【０００８】
この考案の携帯用ボール容器によると、その本体に一つのフック及び一つの弾性ロープをピボットして接続することができるし、その弾性ロープの別の端を一つのビッグフックと結合する。又、そのビッグフックを使用者のベルトに固定することができるし、そのフックをビッグフックにかけるので、使用者がそのフックを解除すると、弾性ロップを通して、本体操作筒部分を引っ張って往復で移動させることで、予備のボール又はその他類似品を取る事ができる。
【課題を解決するための手段】
【０００９】
請求項１の考案は、携帯用ボール容器に関するものであり、
その中に、一つの本体があり、本体の中に一つのチャンバーを設けてあるので、その中にボール又はその類似品を入れることができ、
又、本体に一つの開口部を設けることで、ボール又はその類似品がその開口部からチャンバーに出し入れすることができ、
及び、一つの本体に取り付けられる往復で移動できる筒部分などの部分を備える、実際的にこの容器を使う場合、その筒部分の開口部が通常閉じる状態を呈するが、一つの操作力でその筒部分を押して、その筒部分が本体の開口部から離れることにより、ボール又はその類似品が開口部から入って、又はチャンバーから離れることができることを特徴とする携帯用ボール容器としている。
請求項２の考案は、本体の両端は開放式を呈し、それぞれ一つの軸プレートを結合又は取り付けてあることで、その軸プレートの外径が本体の外径より大きいのであることを特徴とする請求項１記載の携帯用ボール容器としている。
請求項３の考案は、その本体の下部の一つの予定された位置に、一つのテーパーホールが形成されることで、その上に一つの定位部を取り付けることができるので、その筒部分が通常にその開口部をオフすることができることを特徴とする請求項１記載の携帯用ボール容器としている。
請求項４の考案は、その定位部に曲がって変形できる一つの弾性ユニット、及び一つの通常に弾性ユニットの力で外部へ押されるボールを含むことで、筒部分の移動を制限又は干渉することができることを特徴とする請求項３記載の携帯用ボール容器としている。
請求項５の考案は、その弾性ユニット及び本体のテーパーホールを利用して、そのボールの一部分を本体から突き出してから、その筒部分の内部端面の下部にある一つのスロットホールに入ることで、その筒部分が通常にその本体の開口部をオフすることができることを特徴とする請求項４記載の携帯用ボール容器としている。
請求項６の考案は、その本体はパイプ状を選ぶことが良いのであることを特徴とする請求項１記載の携帯用ボール容器としている。
請求項７の考案は、その筒部分は主にパイプ状又は筒状のものを選ぶのである。その内径は本体の外径より大きいし、その両端は開放式を呈するので、筒部分が本体の上に往復で移動することができることを特徴とする請求項１記載の携帯用ボール容器としている。
請求項８の考案は、その本体に一つのフック及び一つの弾性ロープをピボットして接続することができるし、その弾性ロープの別の端を一つのビッグフックと結合するのであることを特徴とする請求項２記載の携帯用ボール容器としている。
【考案の効果】
【００１０】
本考案はは携帯用ボール容器を提供するものである。特に、構造が簡単で、携帯にも便利で操作もしやすい機能を備える携帯用ボール容器に関するものである。その中に、一つの本体があり、本体の中に一つのチャンバーを設けてあるので、その中にボール又はその類似品を入れることができる。又、本体に一つの開口部を設けることで、ボール又はその類似品がその開口部からチャンバーに出し入れすることができる。更に、一つの本体に取り付けられる往復で移動できる筒部分などの部分を備える。実際的にこの容器を使う場合、その筒部分の開口部が通常閉じる状態を呈するが、一つの操作力でその筒部分を押して、その筒部分が本体の開口部から離れることで、ボール又はその類似品が開口部から入って、又はチャンバーから離れることができる。
【考案を実施するための最良の形態】
【００１１】
図１、２及び３をご参照ください。本考案の携帯用ボール容器に一つの本体を含む。その参考番号は１０で表示する。実施例に使う本体１０は、一つのパイプ状のものを用いることで、その上に本体１０に往復で移動できる筒部分２０を取り付けることができる。又、本体１０に一つの壁１１、壁１１と隣接するチャンバー１２を備えることで、ボール又はその類似品４０(図の番号は図５に表示される)を収納することができる。本体１０の両端は開放式を呈し、それぞれ一つの軸プレート１３を結合又は取り付けてある。一つのベター実施例の中に、その軸プレート１３の外径が本体１０の外径より大きいのである。
【００１２】
本体１０にも一つの開口部１４を含む。それが一つの壁１１の予定された位置に形成されるので、その本体のチャンバー１２が外部と通じることで、そのボール又はその類似品４０をそのチャンバー１２に入るか離れることができる。図２の表示によって、その本体１０の下部の壁１１での一つの予定された位置に、一つのテーパーホール１５が形成されることで、その上に一つの定位部３０を取り付けることができるので、その筒部分２０が通常にその開口部１４をオフすることができる。一つの具体的の実施例の中に、その定位部３０に曲がって変形できる一つの弾性ユニット３１、及び一つの通常に弾性ユニット３１の力で外部へ押されるボール３２を含むことで、筒部分２０の移動を制限又は干渉することができる(この部分は下記でもっと詳しく説明する)。
【００１３】
本体１０の形状に合わせて、筒部分２０もパイプ状又は筒状の形状を選ぶほうが良いのである。その内径は本体の外径より大きく、その両端が開放式を呈するので、その筒部分２０が本体１０の上に往復で移動することができる。それは図４をご参照ください。又、その筒部分２０の内部の端面の下部に一つのスロットホール２１を設けることで、その定位部３０のボール３２と干渉状態を呈するのである。
【００１４】
図５、６をご参照ください。その弾性ユニット３１及び本体１０のテーパーホール１５を利用して、そのボール３２の一部分を本体１０から突き出してから、その筒部分２０のスロットホール２１に入ることで、一つの干渉状態が形成されるので、その筒部分２０が通常にその本体の開口部１４をオフする。又、外部の力で筒部分２０を操作して、図面の中上方に移動させることで、筒部分２０が本体の開口部１４から離れる場合、そのボール又はその類似品４０をそのチャンバー１２の中に入る又は離れることができる。それは図６の通りである。
【００１５】
上述の操作によって、図４に、特に筒部分２０に一つの底部２２を持つことが表示されるので、筒部分２０が往復で移動する時、ボール３２を押して、その弾性ユニット３１を曲げて変形させることで、エネルギーを保存することができるので、筒部分２０を離れる時、エネルギーを釈放することで、ボール３２を押して、元のテーパーホール１５の突き出す位置に戻る。例えば、図４の想定ラインの部分で示す通りである。
【００１６】
図７、８をご参照ください。その軸プレート１３に一つのフック５０及び一つの弾性ロープ６０をピボットして接続することができるし、その弾性ロープ６０の別の端を一つのビッグフック７０と結合する。又、そのビッグフック７０を使用者のベルトに固定することができるし、そのフック５０をビッグフック７０にかけるので、使用者がそのフック５０を解除すると、弾性ロップ６０を通して、本体１０の操作筒部分２０を引っ張って往復で移動させることで、予備のボール又はその他類似品４０を取る事ができる。例えば、図８の想定ラインの部分で示す通りである。
【００１７】
このフック５０、弾性ロープ６０及びビッグフック７０を使う目的は、主に携帯する場合、使用者の便利性を向上するために設けられるのである。又、そのビッグフック７０及び弾性ロープ６０が更にこの携帯用ボール容器又は本体１０、筒部分２０を保護することができるので、ボール類スポーツをする場合、又は携帯する場合、万が一落とした時、その落とすスピードを緩和できるので、携帯用ボール容器が直接地面までに落ちて壊れることを避けられるし、紛失することも避けられる。
【００１８】
その代表性の面から見ると、この携帯用ボール容器に構造が簡単で、携帯にも便利で操作もしやすい機能を備えので、有効の改善を提供することができるし、その空間の形態は従来のものと異なる。更に、従来の特許の許可を得た商品に備えていない機能を持つので、それをボール類スポーツ用具又はその関連する物品設計の業界での従来の技術と比較して、相当的な進歩性を持つことがわかるのである。
【図面の簡単な説明】
【００１９】
【図１】本考案の外観表示図である。
【図２】図１の構造分解表示図である。
【図３】図１の操作実施例図である。
【図４】本考案の本体定位部をベースに合わせる様子の断面表示図である。
【図５】本の考案にボール又は類似品を入れる断面表示図である。
【図６】図５の操作実施例表示図である。
【図７】本考案をフック、弾性ロープ、ビッグフックに合わせる実施例説明である。
【図８】図７の操作実施例表示図である。
【符号の説明】
【００２０】
１０  本体
１１  壁
１２  チャンバー
１３  軸プレート
１４  開口部
１５  テーパーホール
２０  筒部分
２１  スロットホール
２２  底部
３０  定位部
３１  弾性ユニット
３２  ボール
４０  ボール又はその類似品
５０  フック
６０  弾性ロープ
７０  ビッグフック
【図１】
0003122072.tif 000003
【図２】
0003122072.tif 000004
【図３】
0003122072.tif 000005
【図４】
0003122072.tif 000006
【図５】
0003122072.tif 000007
【図６】
0003122072.tif 000008
【図７】
0003122072.tif 000009
【図８】
0003122072.tif 000010